(57)【要約】【課題】  媒体中の記憶手段に情報を書き込む際の異常の発生を利用者による目視や自動的に検出でき、所望しない情報の記憶手段への書き込みおよび表示手段との情報の不一致を防止した媒体書込装置及び媒体書込方法を提供する。【解決手段】  表示記憶媒体２に書き込む情報をメモリ１７に用意し、読み書き部１１から表示記憶媒体２の記憶部２２に情報を書き込んだ後に読み出し、その情報を比較表示部１４に表示する。また、表示書き換え部１２から表示記憶媒体２の表示部２１に情報を書き込んだ後に読み取り部１３で表示記憶媒体２の表示内容を読み取り、比較表示部１４に表示する。比較表示部１４に表示された内容を比較することで内容の一致を確認でき、目に見えない記憶部２２へ書き込まれた情報を確認でき、また表示部２１に表示されている内容との対応も確認することができる。【選択図】  図１
2005062431.tif 000002
【特許請求の範囲】
【請求項１】
記憶手段及び表示手段を有する表示記憶媒体に情報を書き込む媒体書込装置において、前記表示記憶媒体の前記記憶手段との間で情報の読み書きを行う読み書き手段と、前記読み書き手段で前記記憶手段に書き込んだ情報と前記記憶手段から読み出した情報とを表示する比較表示手段と、前記記憶手段に書き込んだ情報と前記記憶手段から読み出した情報とが一致している場合に前記情報により前記表示記憶媒体の前記表示手段の表示内容を書き換える表示書き換え手段を有することを特徴とする媒体書込装置。
【請求項２】
記憶手段及び表示手段を有する記憶媒体に情報を書き込む媒体書込装置において、前記記憶媒体の前記記憶手段との間で情報の読み書きを行う読み書き手段と、前記読み書き手段で前記記憶手段に書き込んだ第１の情報と前記記憶手段から読み出した情報との一致を判断する判断手段と、前記記憶手段に書き込んだ前記第１の情報と前記記憶手段から読み出した情報とが一致している場合に前記記憶手段に書き込んだ前記第１の情報または前記記憶手段から読み出した情報に対応する第２の情報により前記表示記憶媒体の前記表示手段の表示内容を書き換える表示書き換え手段を有することを特徴とする媒体書込装置。
【請求項３】
記憶手段及び表示手段を有する表示記憶媒体に情報を書き込む媒体書込装置において、前記表示記憶媒体の前記記憶手段との間で情報の読み書きを行う読み書き手段と、前記読み書き手段で前記記憶手段に書き込んでから読み出した第１の情報に対応する第２の情報により前記表示記憶媒体の前記表示手段の表示内容を書き換える表示書き換え手段を有することを特徴とする媒体書込装置。
【請求項４】
記憶手段及び表示手段を有する表示記憶媒体に情報を書き込む媒体書込装置において、前記表示記憶媒体の前記記憶手段との間で情報の読み書きを行う読み書き手段と、前記表示記憶媒体の前記表示手段の表示内容を書き換える表示書き換え手段と、前記表示記憶媒体の表示内容を読み取る読取手段と、前記読み書き手段で前記記憶手段に書き込んでから読み出した情報を表示するとともに前記読み書き手段で前記記憶手段に書き込んだ情報により前記表示手段の表示内容を前記表示書き換え手段で書き換えた後に前記読取手段で読み取った情報を表示する比較表示手段を有することを特徴とする媒体書込装置。
【請求項５】
前記比較表示手段は、さらに前記読み書き手段で前記表示記憶媒体の前記記憶手段に書き込むとともに前記表示書き換え手段で前記表示記憶媒体の前記表示手段を書き換えた情報も表示することを特徴とする請求項４に記載の媒体書込装置。
【請求項６】
さらに、前記読取手段で読み取った情報から特定のデータを認識して前記読み書き手段で前記表示記憶媒体の前記記憶手段から読み出した情報との一致を少なくとも判断する判断手段を有することを特徴とする請求項４または請求項５に記載の媒体書込装置。
【請求項７】
前記表示書き換え手段は、特定のデータに従って前記表示記憶媒体の前記表示手段の表示内容を書き換えるとともに該特定のデータを前記表示手段の所定の表示位置に表示させ、前記読取手段は、前記表示手段の前記所定の表示位置の表示内容を読み取ることを特徴とする請求項４ないし請求項６のいずれか１項に記載の媒体書込装置。
【請求項８】
前記読み書き手段が前記表示記憶媒体の前記記憶手段に対して書き込む情報は、前記表示書き換え手段で前記表示記憶媒体の前記表示手段の表示内容を書き換えるための情報を特定する識別情報であることを特徴とする請求項１ないし請求項７のいずれか１項に記載の媒体書込装置。
【請求項９】
前記表示書き換え手段は、前記読み書き手段で前記表示記憶媒体の前記記憶手段に情報を書き込んでいる間は前記表示記憶媒体の前記表示手段の表示内容を消去することを特徴とする請求項１ないし請求項７のいずれか１項に記載の媒体書込装置。
【請求項１０】
前記読み書き手段による前記表示記憶媒体の前記記憶手段への情報の書込終了と、前記表示書き換え手段で前記表示記憶媒体の前記表示手段の表示内容の書き換え終了とが略一致するように前記読み書き手段及び前記表示書き換え手段が動作することを特徴とする請求項４ないし請求項７のいずれか１項に記載の媒体書込装置。
【請求項１１】
記憶手段及び表示手段を有する表示記憶媒体に情報を書き込む媒体書込装置における媒体書込方法において、前記表示記憶媒体の前記記憶手段に情報を書き込み、その後に前記記憶手段から情報を読み出して、前記記憶手段に書き込んだ情報と前記記憶手段から読み出した情報とを比較表示手段に表示し、前記記憶手段に書き込んだ情報と前記記憶手段から読み出した情報とが一致している場合に、前記情報により前記表示記憶媒体の前記表示手段の表示内容を書き換えることを特徴とする媒体書込方法。
【請求項１２】
記憶手段及び表示手段を有する記憶媒体に情報を書き込む媒体書込装置における媒体書込方法において、前記記憶媒体の前記記憶手段に第１の情報を書き込み、その後に前記記憶手段から情報を読み出して、前記記憶手段に書き込んだ第１の情報と前記記憶手段から読み出した情報との一致を判断し、一致が判断された場合に前記記憶手段に書き込んだ第１の情報または前記記憶手段から読み出した情報に対応する第２の情報により前記表示記憶媒体の前記表示手段の表示内容を書き換えることを特徴とする媒体書込方法。
【請求項１３】
記憶手段及び表示手段を有する表示記憶媒体に情報を書き込む媒体書込装置における媒体書込方法において、前記表示記憶媒体の前記記憶手段に第１の情報を書き込み、その後に前記記憶手段から情報を読み出し、読み出した情報に対応する第２の情報により前記表示記憶媒体の前記表示手段の表示内容を書き換えることを特徴とする媒体書込方法。
【請求項１４】
記憶手段及び表示手段を有する表示記憶媒体に情報を書き込む媒体書込装置における媒体書込方法において、前記表示記憶媒体の前記記憶手段に情報を書き込み、その後に前記記憶手段から情報を読み出して比較表示手段に表示し、また前記記憶手段に書き込んだ情報により前記表示記憶媒体の前記表示手段の表示内容を書き換え、その後に前記表示記憶媒体の表示内容を読み取り、読み取った情報を前記比較表示手段に表示することを特徴とする媒体書込方法。
【請求項１５】
さらに、前記表示記憶媒体の前記記憶手段に書き込むとともに前記表示記憶媒体の前記表示手段を書き換えた情報についても前記比較表示手段に表示することを特徴とする請求項１４に記載の媒体書込方法。
【請求項１６】
さらに、前記表示記憶媒体から読み取った情報から特定のデータを認識し、前記表示記憶媒体の前記記憶手段から読み出した情報との一致を少なくとも判断することを特徴とする請求項１４または請求項１５に記載の媒体書込方法。
【請求項１７】
前記表示記憶媒体の前記表示手段の表示内容を書き換える際には、特定のデータに従って表示内容を書き換えるとともに、該特定のデータを前記表示手段の所定の表示位置に表示させ、前記表示記憶媒体の表示内容を読み取る際には前記所定の表示位置の表示内容を読み取ることを特徴とする請求項１４ないし請求項１６のいずれか１項に記載の媒体書込方法。
【請求項１８】
前記表示記憶媒体の前記記憶手段に対して書き込む情報は、前記表示記憶媒体の前記表示手段の表示内容を書き換えるための情報を特定する識別情報であることを特徴とする請求項１１ないし請求項１７のいずれか１項に記載の媒体書込方法。
【請求項１９】
前記表示記憶媒体の前記記憶手段に情報を書き込んでいる間は、前記表示記憶媒体の前記表示手段の表示内容を消去することを特徴とする請求項１１ないし請求項１７のいずれか１項に記載の媒体書込方法。
【請求項２０】
前記表示記憶媒体の前記記憶手段への情報の書き込みと、前記表示書き換え手段で前記表示記憶媒体の前記表示手段の表示内容の書き換えとを並行して行い、両者の終了が略一致することを特徴とする請求項１４ないし請求項１７のいずれか１項に記載の媒体書込方法。
【発明の詳細な説明】
【技術分野】
【０００１】
本発明は、記憶手段を有し、さらには表示手段を有する媒体に対する情報の書き込みを行う際に用いる技術に関するものである。
【背景技術】
【０００２】
近年、情報表示媒体として、紙媒体や電子ディスプレイデバイスの他に、電子ディスプレイの長所と紙の長所を併せ持った電子ペーパーなどと呼ばれる新たな媒体が開発されている。電子ペーパーは、一般に表示素子自体がメモリ性を有しており、表示内容の書き換え時にはエネルギーを必要とするものの、それ以外の表示内容を維持するためにはエネルギーを必要としない。また、反射型表示素子を用い、紙のような表示特性を有している。さらに、フィルム基板を用いた場合、フレキシブル性を有するなどといった特徴を持つ。電子ペーパーとして、例えば特許文献１などに開示されているように、コレステリック液晶と光導電体を組み合わせた表示媒体等が例としてあげられる。
【０００３】
このような電子ペーパーに、例えば非接触式ＩＣタグなどの記憶素子を搭載することが考えられている。このような構成によって、電子ペーパーの表示機能による目視情報だけでなく、機械等が読み書きできるデジタルデータを電子ペーパーに記憶させることができる。
【０００４】
しかし、記憶素子を搭載した電子ペーパーでは、表示機能に対する情報の書き込みと記憶素子に対する情報の書き込みとが別々に行われるため、どちらかの書き込みに異常が発生した場合に、電子ペーパーが表示しているデータと記憶素子が記憶しているデータが一致しないことがある。例えば表示しているデータが所望のデータではない場合には、目視によって異常の発生に気付く。しかし、記憶素子に書き込んだデータは目視できないため異常の発生に気付かない場合が多いという問題があった。
【特許文献１】特開２００２−９０７１６号公報
【発明の開示】
【発明が解決しようとする課題】
【０００５】
本発明は、上述した事情に鑑みてなされたもので、媒体中の記憶手段に情報を書き込む際の異常の発生を利用者による目視や自動的に検出でき、所望しない情報の記憶手段への書き込みを防止した媒体書込装置及び媒体書込方法を提供することを目的とするものである。
【課題を解決するための手段】
【０００６】
本発明では、記憶手段及び表示手段を有する表示記憶媒体に情報を書き込む媒体書込装置及び媒体書込方法において、まず読み書き手段によって表示記憶媒体の記憶手段に情報を書き込み、その後に記憶手段から情報を読み出して、記憶手段に書き込んだ情報と記憶手段から読み出した情報とを比較表示手段に表示する。このとき、表示記憶媒体の記憶手段が正常ならば両者の表示は一致するので、両者が一致していれば、表示書き換え手段が情報により表示記憶媒体の表示手段の表示内容を書き換える。これによって、表示記憶媒体の記憶手段が正常であることを確認した上で表示手段の表示内容を更新することができ、また記憶手段が記憶している情報と表示手段が表示している内容との対応も保証することができる。
【０００７】
また本発明では、記憶手段及び表示手段を有する記憶媒体に情報を書き込む媒体書込装置及び媒体書込方法において、まず読み書き手段によって記憶媒体の記憶手段に第１の情報を書き込み、その後に記憶手段から情報を読み出して、記憶手段に書き込んだ第１の情報と前記記憶手段から読み出した情報との一致を判断手段で判断する。記憶媒体の記憶手段が正常ならば、両者の表示は一致するので、両者が一致していれば、記憶手段に書き込んだ第１の情報または記憶手段から読み出した情報に対応する第２の情報により表示記憶媒体の表示手段の表示内容を表示書き換え手段が書き換える。これによって、記憶媒体の記憶手段が正常であることを確認した上で、記憶手段に書き込んだ第１の情報に対応する第２の情報により表示記憶媒体２の表示手段の表示内容を書き換えることができる。
【０００８】
さらに本発明では、記憶手段及び表示手段を有する表示記憶媒体に情報を書き込む媒体書込装置及び媒体書込方法において、まず読み書き手段によって表示記憶媒体の記憶手段に第１の情報を書き込み、その後に記憶手段から情報を読み出す。そして、読み出した情報に対応する第２の情報により表示記憶媒体の表示手段の表示内容を表示書き換え手段が書き換える。このように、記憶手段に記憶されている内容に従って表示内容を書き換えることによって、記憶手段に記憶されている内容と表示されている内容との対応を保証する。表示記憶媒体の記憶手段が正常であれば、記憶手段から読み出した情報は第１の情報のはずであり、表示記憶媒体の表示手段には所望の内容が表示されているはずである。従ってユーザが表示されている内容を参照することによって、記憶手段が正常か否かを判断することができる。
【０００９】
さらにまた、本発明では、記憶手段及び表示手段を有する表示記憶媒体に情報を書き込む媒体書込装置及び媒体書込方法において、まず読み書き手段によって表示記憶媒体の記憶手段に情報を書き込み、その後に記憶手段から情報を読み出して比較表示手段に表示する。それとともに、記憶手段に書き込んだのと同じ情報により表示記憶媒体の表示手段の表示内容を表示書き換え手段により書き換え、その後に読取手段で表示記憶媒体の表示内容を読み取り、読み取った情報を比較表示手段に表示する。さらに、表示記憶媒体の記憶手段に書き込み、また表示手段を書き換えた情報についても比較表示手段に表示するように構成してもよい。記憶手段及び表示手段が正常であれば、比較表示手段に表示される情報は一致するはずである。従って、比較表示手段の表示を参照すれば記憶手段及び表示手段が正常であることを確認することができる。
【００１０】
このときの一致の判断は、ユーザが行うほか、自動的に行うことも可能である。例えば、読取手段で表示記憶媒体から読み取った情報から特定のデータを認識し、表示記憶媒体の記憶手段から読み出した情報との一致を判断手段で判断するように構成することができる。
【００１１】
また、一致の判断を行うために、表示記憶媒体の表示手段の表示内容を書き換える際には、特定のデータに従って表示内容を書き換えるとともに、その特定のデータを表示手段の所定の表示位置に表示させ、前記表示記憶媒体の表示内容を読み取る際には前記所定の表示位置の表示内容を読み取るように構成することができる。
【００１２】
さらに、表示記憶媒体の記憶手段への情報の書き込みと、表示書き換え手段で表示記憶媒体の表示手段の表示内容の書き換えとは、並行して行うことができ、両者の終了を略一致させるとよい。
【００１３】
なお、上述の各発明において、表示記憶媒体の記憶手段に対して書き込む情報としては、表示記憶媒体の表示手段の表示内容を書き換えるための情報を特定するシリアル番号などの識別情報とすることができる。
【００１４】
また、表示記憶媒体の記憶手段に情報を書き込んでいる間は、表示記憶媒体の表示手段の表示内容を消去するように構成することができる。これによって、記憶手段への情報の書き込み処理中であることをユーザに知らせることができ、書き込み処理中に表示記憶媒体を着脱する等の誤操作を防止することができる。
【発明の効果】
【００１５】
本発明によれば、異常の発生が目視によって判断できない媒体中の記憶手段について、目視あるいは機械的に異常の発生を判断することができるようになり、異常な状態での情報の格納を防止して、不所望な情報の書き込みを防ぐことができる。また、表示手段を有する媒体においては、表示手段に表示されている情報と記憶手段に記憶されている情報との不一致を防止することができるという効果がある。
【発明を実施するための最良の形態】
【００１６】
図１は、本発明の実施の一形態を示すブロック図である。図中、１は媒体書込装置、２は表示記憶媒体、１１は読み書き部、１２は表示書き換え部、１３は読取部、１４は比較表示部、１５はＣＰＵ、１６は記録部、１７はメモリ、１８は操作入力部、１９は電源部、２１は表示部、２２は記憶部である。媒体書込装置１は、表示記憶媒体２に設けられている表示部２１へ表示内容の書き込みを行うとともに、記憶部２２の読み書きを行う。
【００１７】
この例における媒体書込装置１は、読み書き部１１、表示書き換え部１２、読取部１３、比較表示部１４、ＣＰＵ１５、記録部１６、メモリ１７、操作入力部１８、電源部１９等を含んで構成されている。読み書き部１１は、表示記録媒体２の記憶部２２と通信を行い、非接触で表示記録媒体の記憶部からのデータの読み出し及びデータの書き込みを行う。表示書き換え部１２は、表示記録媒体の表示部の表示内容を書き換える。読取部１３は、表示記憶媒体の表示内容を読み取る。比較表示部１４は、ユーザに情報の一致を判断させるための情報の表示を行う。ＣＰＵ１５は、媒体書込装置全体を制御し、後述するような表示記憶媒体への情報の書き込み制御を行う。記録部１６は、種々の情報を保持し、また外部から情報を取得する。メモリ１７は、ＣＰＵ１５が用いる種々の情報を記憶し、特に、表示記憶媒体の表示部及び記憶部に書き込む情報を記憶する。操作入力部１８は、ユーザが媒体書込装置に対して行う指示を受け付ける。電源部１９は媒体書込装置の各部に電力を供給するとともに、表示書き換え部１２が表示記憶媒体の表示部の表示内容を書き換える際に、表示書き換え部１２を介して表示記憶媒体に対して電力を供給する。
【００１８】
表示記憶媒体２は、例えば電子ペーパーなどであり、表示部２１、記憶部２２等を含んで構成されている。図２は、表示記憶媒体の一例の概略図、図３は、同じく表示部の断面図である。図中、３１はＩＣチップ、３２はアンテナ部、３３は電極、４１，４２はベース基板、４３，４４は透明電極層、４５はコレステリック液晶表示層、４６はＯＰＣ層、４７は光吸収層である。ここでは記憶部２２としてＩＣチップ３１及びアンテナ部３２で構成された非接触ＩＣメモリの例を示しており、図２にはアンテナ部３２の配置例を３種類示している。なお、これらＩＣチップ３１及びアンテナ部３２は、表示記憶媒体２の内部に設けられるものであり、外観上は図２に示すようには見えない。
【００１９】
表示部２１としては、種々の表示方式のものを用いることができるが、ここでは一例として、マイクロカプセルコレステリック液晶とＯＰＣ層（受光層）を積層した表示素子の一例を示している。図３に示すように、透明なベース基板４１，４２間に、透明電極層４３，４４に挟まれて、コレステリック液晶表示層４５、ＯＰＣ層４６、光吸収層４７が積層されて構成されている。コレステリック液晶表示層４５は、例えばマイクロカプセルにコレステリック液晶を封入し、バインダと混合したものである。またＯＰＣ層４６は、２層の電荷発生（ＣＧＬ）層に電荷輸送（ＣＴＬ）層が挟まれて積層されている。
【００２０】
コレステリック液晶表示層４５は、液晶のらせん軸が基板と平行になり、光を透過するフォーカルコニック相と、らせん軸が基板と垂直になり、所定の波長の光を選択反射するプレーナ相の双安定状態を持ち、印加電圧によりそのいずれかを取る。入射光を選択反射するプレーナ相では、選択反射の波長に応じた色が見える。異なる波長の光を反射するカプセルを混合することにより白色が見えるように構成することもできる。また、光を透過するフォーカルコニック相の場合には、透過された光は光吸収層４７で吸収され、黒く見えることになる。
【００２１】
コレステリック液晶表示層４５に書き込みを行う際には、この例ではベース基板４１の側に、媒体書込装置１の表示書き換え部１２から書き込む情報に応じた画像に対応する光を照射する。その状態で、同じく媒体書込装置１の表示書き換え部１２から図２に示す電極３３を介して透明電極層４３，４４にパルス電圧を与える。照射された光はベース基板４１および透明電極層４３を透過してＯＰＣ層４６に入射する。入射光によりＯＰＣ層４６に生じる内部光電効果により自由キャリアの移動が発生する。つまり、照射される光量に応じてＯＰＣ層４６の抵抗値が変化する。コレステリック液晶表示層４５に印加される分圧は、コレステリック液晶表示層４５とＯＰＣ層４６の容量と抵抗値で決まる。よって、照射される光量によりＯＰＣ層４６の抵抗値が変化するためコレステリック液晶表示層４５に印加される電圧も照射光量により変化し、コレステリック液晶表示層４５の明暗を表示することができる。なお、上述のように書き込み時には電力が必要であるが、一旦書き込みを行うと、透明電極層４３，４４への電圧の印加を停止してもコレステリック液晶表示層４５の相状態は維持される。そのため、書き込まれた情報は無電源で表示され続けることになる。このようにコレステリック液晶はメモリ性を有している。
【００２２】
ここでは白黒表示またはモノカラー表示を行う場合を示しているが、カラー表示を行う場合には反射波長の異なる複数のコレステリック液晶表示層、例えば赤・緑・青に調整されたコレステリック液晶表示層４５を積層し、書き込み時に与える電圧をそれぞれのコレステリック液晶表示層に応じて制御すればよい。
【００２３】
なお、表示部２１及び記憶部２２とも、上述の例に限られないことは言うまでもない。例えば表示部２１として、例えば、電気泳動素子、二色粒子回転制御素子、トナーディスプレイ方式、電子噴流体を応用した表示素子、あるいは強誘電液晶などのメモリ性液晶などを応用した表示素子など、様々な表示方式の表示素子を採用できる。また記憶部２２も、非接触ＩＣメモリに限らず、不揮発性の様々な記憶素子を適用することができ、例えばＩＣカードや、各種のカード型メモリなどに利用されている接触型のメモリであってもよい。
【００２４】
上述の本発明の実施の一形態における情報の書き込み動作について、いくつか説明してゆく。なお、以下に説明する各例において、図１に示した構成のうち使用しない要素については任意に設けることができるものである。
【００２５】
図４は、本発明の実施の一形態における第１の動作例を示すフローチャートである。この第１の動作例では、表示記憶媒体２の記憶部２２への書き込みが正常に終了したことを判断した後に、表示部２１の画像を書き換える場合の例を示している。
【００２６】
まずＳ５１において、操作者が操作部１８を操作し、ＨＤＤやイントラネットを通じた外部記録装置などの記録部１６からメモリ１７へ表示記憶媒体２の表示部２１に表示させる情報を読み込む。その情報には、当該情報を識別するためのシリアル番号やアドレス情報などの識別情報が付加され、あるいは別途用意される。読み込んだ情報あるいは識別情報またはその両方を比較表示部１４に表示する。操作者が比較表示部１４に表示された内容を確認し、操作部１８を用いて表示記憶媒体２に情報を書き込む指示操作を行う。
【００２７】
情報の書き込みが指示されると、Ｓ５２において、読み書き部１１は表示記憶媒体２の記憶部２２に対してデータの書き込みを行う。ここで記憶部２２に書き込むデータは、表示部２１に表示させる情報そのものでもよいし、あるいは識別情報またはその両方であってもよい。さらに他の種々のデータを書き込んでもよい。ここでは識別情報のみを書き込むものとする。
【００２８】
書き込みが終了したら、Ｓ５３において、今度は読み書き部１１によって表示記憶媒体２の記憶部２２に記憶されている情報を読み込む。そしてＳ５４において、Ｓ５３で読み込んだ情報（ここでは識別情報）を比較表示部１４に表示する。操作者は、Ｓ５１で比較表示部１４に表示された書き込み前の情報とＳ５４で比較表示部１４に表示された内容を参照し、両者が一致しているか否かを判断し、操作部１８から判断の結果を入力する。Ｓ５４で比較表示部１４に表示した内容は、表示記憶媒体２の記憶部２２に書き込んで読み出しただけの情報であるから、書き込み前のＳ５１で比較表示部１４に表示された内容とは一致するはずである。両者の表示内容が異なっている場合には、表示記憶媒体２の記憶部２２に何らかの異常が発生していたり、あるいは書き込み時のエラーなどが考えられる。
【００２９】
Ｓ５５において、操作者からの入力により、Ｓ５２で表示記憶媒体２に書き込んだ情報とＳ５３で読み込んだ情報とが一致しているか否かを判断し、不一致の入力が行われた場合には、Ｓ５２へ戻って再度、表示記憶媒体２の記憶部２２へのデータの書き込み及び読み出しを行う。
【００３０】
Ｓ５５で一致の入力を確認したら、Ｓ５６において、Ｓ５１でメモリ１６に記憶させた情報を表示記憶媒体２の表示部２１に表示させる。表示記憶媒体２の表示部２１が、例えば図３に示したような断面構成の光書き込み型の表示素子である場合には、表示させる情報に基づく画像を表示光として表示書き換え部１２から表示記憶媒体２の表示部２１に照射しつつ、電極部１９から表示書き換え部１２を介して特定矩形波を表示記憶媒体２に印加し、表示内容の書き換えを行う。
【００３１】
このようにして、表示記憶媒体２の記憶部２２に対して正常に情報（識別情報）の書き込みが行えたことを確認した上で、その情報により表示部２１の表示を書き換えることができる。従って、記憶部２２の異常あるいは記憶部２２に書き込む際の異常に気付かずにいるといった事態を防止することができる。それとともに、記憶部２２に書き込んだ情報と表示部２１に表示させた情報との対応を保証することができる。
【００３２】
なお、上述の説明では、表示記憶媒体２の記憶部２２へ書き込む前の情報と、記憶部２２へ書き込んでから読み出した情報との比較を操作者が行うものとして説明したが、例えば自動的にＣＰＵ１５によって比較判断することも可能である。その場合、両者が不一致の場合には自動的に再書き込みを実行することができる。その際には、再書き込みを実行中であることを操作者に知らせる表示を行うことが望ましい。例えば「再書込中」等のメッセージを比較表示部１４に表示するとよい。また、自動的に再書き込みを実行する場合には、再書き込みを実行する回数を規定しておくとよい。例えば媒体書込装置１の読み書き部１１自体や表示記憶媒体２の記憶部２２自体が故障している場合、何回再書き込みを実行しても成功せず、無限に繰り返してしまうことがあるからである。所定の回数だけ再書き込みを実行しても成功しなかった場合には、「＊回繰り返しましたが、正常に書き込めません。」（「＊回」は所定の回数）等のメッセージを比較表示部１４に表示し、処理を打ち切ればよい。また、表示記憶媒体２の記憶部２２へ書き込む前の情報と、記憶部２２へ書き込んでから読み出した情報との一致が自動的に検出された場合にも、自動的に表示記憶媒体２の表示部２１の書き換えを行うようにしてもよい。
【００３３】
図５は、本発明の実施の一形態における第２の動作例を示すフローチャートである。この第２の動作例では、上述の第１の動作例と同様に表示記憶媒体２の記憶部２２への書き込みが正常に終了したことを判断した後に表示部２１の画像を書き換えるが、表示部２１の表示を書き換えるための情報を記憶部２２が正常であることを確認した後に行う場合の例を示している。
【００３４】
まずＳ６１において、操作者が操作部１８を操作し、ＨＤＤやイントラネットを通じた外部記録装置などの記録部１６からメモリ１７へ表示記憶媒体２の記憶部２２に記憶させる情報を読み込む。例えば表示記憶媒体２の表示部２１に表示させる情報を特定する識別情報などを読み込んでおく。
【００３５】
Ｓ６２において、読み書き部１１は表示記憶媒体２の記憶部２２に対して、メモリ１７に用意しておいた識別情報などの情報を書き込む。そして書き込みが終了したら、Ｓ６３において、今度は読み書き部１１によって表示記憶媒体２の記憶部２２に記憶されている情報を読み込む。そしてＳ６４において、メモリ１７に記憶されている表示記憶媒体２の記憶部２２に書き込んだ情報とＳ６３で読み込んだ情報とをＣＰＵ１５で比較する。この例では、ＣＰＵ１５が比較手段として機能し、自動的に一致を判断する。ここで、情報の一致が得られない場合には、Ｓ６２へ戻って再度の書き込みを実行する。なお、再度の書き込みは、所定回数で打ち切るように構成しておくとよい。
【００３６】
媒体書込装置１及び表示記憶媒体２の記憶部２２が正常であれば、メモリ１７に記憶されている表示記憶媒体２の記憶部２２に書き込んだ情報とＳ６３で読み込んだ情報とは一致するはずである。Ｓ６５において、いずれかの情報（識別情報）を用いて、その情報に対応する表示記憶媒体２の表示部２１に表示させる情報を記録部１６からメモリ１７へ読み込む。そしてＳ６６において、Ｓ６５で読み込んだ情報に基づいて表示記憶媒体２の表示部２１の表示内容を表示書き換え部１２によって書き換える。
【００３７】
このようにして、表示記憶媒体２の記憶部２２に対して正常に識別情報等の書き込みが行えたことを確認した上で、その識別情報等に対応する表示部２１に表示させる情報を読み出して表示内容を書き換えることができる。従って、記憶部２２の異常あるいは記憶部２２に書き込む際の異常に気付かずにいるといった事態を防止することができるとともに、記憶部２２に書き込んだ情報と表示部２１に表示させた情報との対応を保証することができる。
【００３８】
なお、この例においても、上述の第１の動作例と同様にＳ６５における比較判断を、比較表示部１４を用いて操作者が行うように構成してもよい。
【００３９】
図６は、本発明の実施の一形態における第３の動作例を示すフローチャートである。この第３の動作例では、表示記憶媒体２の表示部２１及び記憶部２２への書き込みの途中で判断を行わない例を示している。
【００４０】
まずＳ７１において、操作者が操作部１８を操作し、ＨＤＤやイントラネットを通じた外部記録装置などの記録部１６からメモリ１７へ表示記憶媒体２の記憶部２２に記憶させる情報を読み込む。例えば表示記憶媒体２の表示部２１に表示させる情報を特定する識別情報などを読み込んでおく。
【００４１】
Ｓ７２において、読み書き部１１は表示記憶媒体２の記憶部２２に対して、メモリ１７に用意しておいた識別情報などの情報を書き込む。そして書き込みが終了したら、Ｓ７３において、今度は読み書き部１１によって表示記憶媒体２の記憶部２２に記憶されている情報を読み込む。そしてＳ７４において、Ｓ７３で読み込んだ情報に対応する表示記憶媒体２の表示部２１に表示させる情報を記録部１６からメモリ１７へ読み込み、その情報に基づいてＳ７５で表示記憶媒体２の表示部２１の表示内容を表示書き換え部１２によって書き換える。
【００４２】
この例においては、表示記憶媒体２の表示部２１の表示内容の書き換えは、記憶部２２から読み出した情報に従って行っている。そのため、例えば表示記憶媒体２の記憶部２２や媒体書込装置１そのものの異常や通信エラーなどによる書き込みまたは読み出し時の異常が発生した場合、Ｓ７３で読み込んだ情報に従って表示記憶媒体２の表示部２１を書き換えると、所望の表示内容が得られないことになる。操作者は、表示記憶媒体２の表示部２１に表示されている内容を目視確認することによって、情報の書き込みが正常に行われているか否かを判断することができる。また、表示部２１に表示されている内容と記憶部２２に記憶されている情報との対応付けは保証されているので、表示部２１の表示内容が正しければ記憶部２２に記憶されている情報についても正常であると判断することができる。
【００４３】
図７は、本発明の実施の一形態における第４の動作例を示すフローチャートである。この第４の動作例では、表示記憶媒体２の表示部２１の表示内容の書き換えと、記憶部２２への書き込みを並行して行う例を示している。
【００４４】
まずＳ８１において、上述の第１の動作例と同様に、操作者が操作部１８を操作し、記録部１６からメモリ１７へ表示記憶媒体２の表示部２１に表示させる情報及び必要に応じて記憶部２２に記憶させる情報を読み込む。読み込んだ情報を比較表示部１４に表示し、操作者による内容の確認を行う。確認後、操作者は操作部１８から書き込み指示を行う。
【００４５】
情報の書き込みが指示されると、Ｓ８２〜Ｓ８４における表示記憶媒体２の表示部２１に対する表示内容の書き換え処理と、Ｓ８５〜Ｓ８７における表示記憶媒体２の記憶部２２に対する情報の書き込み処理とを並行して行う。
【００４６】
表示部２１の表示内容の書き換え処理では、Ｓ８２において、表示書き換え部１２はメモリ１６に記憶されている情報によって表示記憶媒体２の表示部２１の表示内容を書き換える。書き換え終了後、Ｓ８３において、読取部１３によって表示記憶媒体２の表示内容を読み取る。例えば読取部１３はスキャナやカメラなどで構成することができ、表示記憶媒体２の表示内容を画像として読み取ることができる。Ｓ８４において、Ｓ８３で読み取った画像を比較表示部１４に表示する。
【００４７】
一方、記憶部２２に情報を書き込む処理としては、Ｓ８５において、読み書き部１１はＳ８１でメモリ１７に用意しておいた識別情報などの情報を、表示記憶媒体２の記憶部２２に対して書き込む。そして書き込みが終了したら、Ｓ８６において、今度は読み書き部１１によって表示記憶媒体２の記憶部２２に記憶されている情報を読み込む。Ｓ８７において、Ｓ８６で読み込んだ情報あるいはその情報に対応する表示記憶媒体２の表示部１４に表示する際の情報を比較表示部１４に表示する。
【００４８】
このような処理によって、比較表示部１４にはＳ８４で表示した画像とＳ８７で表示した情報とが表示されることになる。操作者は、比較表示部１４の表示内容を参照し、両者の内容が一致しているか否かを判断する。もし一致していなかったり、両者とも所望の情報とは異なっている場合には、再書き込みを操作入力部１８から指示する。Ｓ８８でこの再書き込みの指示を検出すると、Ｓ８２及びＳ８５に戻って、表示部２１に対する表示内容の書き換え処理と表示記憶媒体２の記憶部２２に対する情報の書き込み処理とを再度行う。
【００４９】
比較表示部１４に表示されている２つの情報が一致し、かつ所望の情報であった場合には、操作者が操作入力部１８から行う完了の指示を行う。Ｓ８８でこの完了の指示を検出すると、処理を終了する。
【００５０】
この動作例では、表示記憶媒体２の表示部２１及び記憶部２２に書き込んだ情報を比較表示部１４で比較するので、両者の対応を確実なものとすることができる。
【００５１】
なお、上述の動作例において、表示記憶媒体２の表示部２１に対する表示内容の書き換え処理と、表示記憶媒体２の記憶部２２に対する情報の書き込み処理とは、処理時間が異なる。そのため、読み書き部１１による表示記憶媒体２の記憶部２２への情報の書込終了と、表示書き換え部１２で表示記憶媒体２の表示部２１の表示内容の書き換え終了とが略一致するようにするとよい。これによって、表示部２１の表示内容の変更により記憶部２２の書き換え処理の進行についても操作者が知ることができる。
【００５２】
図８は、本発明の実施の一形態における第４の動作例の変形例を示すフローチャートである。図７と同じ処理内容のステップについては同じ符号を付している。この変形例では、Ｓ８９において、Ｓ８１でメモリ１７に読み込んでおいた情報についても比較表示部１４に表示させている。このような構成によって、Ｓ８８で操作者が正常に書き込めたか否かを判断する際に、所望の情報についても比較表示部１４に表示されていることから３者の内容が一致しているか否かを判断すればよいことになる。
【００５３】
上述の図７，図８に示した第４の動作例においても、上述の第１の実施の形態と同様に、Ｓ８８における判断を自動的に行うように構成することもできる。この場合、Ｓ８３で読み取った画像とＳ８６で記憶部２２から読み出した情報を画像化して比較し、判断することができる。
【００５４】
あるいは逆に、Ｓ８３で読み取った画像から画像認識や文字認識を行い、記憶部２２から読み出した情報と比較してもよい。この場合、読取部１３がＳ８３で読み取る表示記憶媒体２の表示内容としては、表示部２１の全体でなくてもよい。図９は、読取部１３が読み取る表示記憶媒体２上の領域の一例の説明図である。例えばＳ８２において表示記憶媒体２の表示部２１の表示内容を書き換える際に、予め定めておいた特定領域に識別情報などを表示させておく。図９（Ａ）に示した例では表示部２１の表示画面の右下に特定領域を設けた例を示している。Ｓ８３で読取部１３が画像を読み取る際には、この特定領域についてのみ読み取り、認識処理を行って元の識別情報を取得することができる。
【００５５】
図９（Ｂ）に示す例では、このような識別情報を表示する領域を別途設けた例を示している。この場合には、操作者が表示部２１に表示させようとしている情報の表示を妨げずに識別情報などを表示させることができる。
【００５６】
図９（Ｃ）に示す例では、表示部２１の表示画面全体を用いているが、読取部１３で読み取った画像から識別情報などの情報を取得しやすいように、識別情報等を潜像画像として表示すべき情報の画像と合成して表示部２１に表示させておく。図９（Ｃ）では潜像画像を×印で示している。読取部１３で読み取った画像から潜像画像を抽出し、認識処理を行えば元の識別情報等を取得することができる。この例によれば、操作者が表示部２１に表示させようとしている情報の表示を妨げず、しかも簡単な処理によって識別情報等を取得することができる。もちろんこの場合も、表示部２１の一部領域のみに潜像画像を合成し、その一部領域のみを読取部１３で読み取るように構成してもよい。
【００５７】
もちろんこのほかにも、種々の方法によって識別情報を表示記憶媒体２の表示面に表示させ、読み取って認識するように構成することができる。
【００５８】
上述のような判断を自動化する場合には、第１の動作例でも述べたように、無限に繰り返されるのを防止するため、再書き込みを実行する回数を規定しておくとよい。また、再書き込み中にはその旨を表示し、また規定回数だけ再書き込みを行っても正常に終了しない場合には、その旨のエラーメッセージを表示するように構成するとよい。
【図面の簡単な説明】
【００５９】
【図１】本発明の実施の一形態を示すブロック図である。
【図２】表示記憶媒体の一例の概略図である。
【図３】表示記憶媒体の一例における表示部の断面図である。
【図４】本発明の実施の一形態における第１の動作例を示すフローチャートである。
【図５】本発明の実施の一形態における第２の動作例を示すフローチャートである。
【図６】本発明の実施の一形態における第３の動作例を示すフローチャートである。
【図７】本発明の実施の一形態における第４の動作例を示すフローチャートである。
【図８】本発明の実施の一形態における第４の動作例の変形例を示すフローチャートである。
【図９】読取部１３が読み取る表示記憶媒体２上の領域の一例の説明図である。
【符号の説明】
【００６０】
１…媒体書込装置、２…表示記憶媒体、１１…読み書き部、１２…表示書き換え部、１３…読取部、１４…比較表示部、１５…ＣＰＵ、１６…記録部、１７…メモリ、１８…操作入力部、１９…電源部、２１…表示部、２２…記憶部、３１…ＩＣチップ、３２…アンテナ部、３３…電極、４１，４２…ベース基板、４３，４４…透明電極層、４５…コレステリック液晶表示層、４６…ＯＰＣ層、４７…光吸収層。
【図１】
2005062431.tif 000003
【図２】
2005062431.tif 000004
【図３】
2005062431.tif 000005
【図４】
2005062431.tif 000006
【図５】
2005062431.tif 000007
【図６】
2005062431.tif 000008
【図７】
2005062431.tif 000009
【図８】
2005062431.tif 000010
【図９】
2005062431.tif 000011